(57)【特許請求の範囲】
【請求項１】
枠材、框材の長手方向に延びる窓構成部材と、
前記窓構成部材の長手方向に沿って設けられた補強部材と、を有し、
前記窓構成部材の前記長手方向における端部には切り欠き部が、前記補強部材の長手方向における端部には折り返し部が、それぞれ設けられ、
熱膨張時に前記折り返し部が前記切り欠き部に係合することを特徴とする窓。
【請求項２】
請求項１に記載の窓であって、
前記窓構成部材は、前記切り欠き部が設けられた第一部分及び前記切り欠き部が設けられていない第二部分を備え、
前記第二部分の前記長手方向における第二端面に当接する当接部材を有し、
前記第一部分の前記長手方向における第一端面は、前記当接部材から離間した位置に位置し、
前記折り返し部は、前記第一端面と前記当接部材との間に位置し、かつ、前記当接部材と接触し、
前記折り返し部には、該折り返し部を前記当接部材に締結部材で締結するための締結部が設けられていることを特徴とする窓。
【請求項３】
請求項１に記載の窓であって、
前記窓構成部材は、前記切り欠き部が設けられた第一部分及び前記切り欠き部が設けられていない第二部分を備え、
前記第二部分の前記長手方向における第二端面に当接する当接部材を有し、
前記第一部分の前記長手方向における第一端面は、前記当接部材から離間した位置に位置し、
前記折り返し部は、前記第一端面と前記当接部材との間に位置し、かつ、前記当接部材と接触していないことを特徴とする窓。
【発明の詳細な説明】
【技術分野】
【０００１】
本発明は、窓に関する。
【背景技術】
【０００２】
非鉄金属であって防火性能を有した窓は、既によく知られている。
【０００３】
かかる窓は、窓構成部材として、枠体や框体及びガラスを備える障子等を備えている。
【先行技術文献】
【特許文献】
【０００４】
【特許文献１】特開２０１５−９４１７０公報
【発明の概要】
【発明が解決しようとする課題】
【０００５】
火災が生じると、火炎の熱によって枠体や框体などの窓構成部材に熱伸びが発生する。そして、窓構成部材に当該熱伸びが生ずると、窓が変形し、火炎の通り道となる隙間の発生等により防火機能が劣化する課題があった。
【０００６】
本発明は、かかる課題に鑑みてなされたものであり、その目的とするところは、火災が発生した際に中桟、無目、方立等を含む枠材、框材の長手方向に延びる窓構成部材の熱伸びを抑制することにより窓の変形による防火機能の劣化を抑えることにある。
【課題を解決するための手段】
【０００７】
かかる目的を達成するために本発明の窓は、枠材、框材の長手方向に延びる窓構成部材と、
前記窓構成部材の長手方向に沿って設けられた補強部材と、を有し、
前記窓構成部材の前記長手方向における端部には切り欠き部が、前記補強部材の長手方向における端部には折り返し部が、それぞれ設けられ、
熱膨張時に前記折り返し部が前記切り欠き部に係合することを特徴とする窓である。
【０００８】
このような窓によれば、折り返し部が窓構成部材を押さえることで、窓構成部材の熱伸びを抑制することが可能となる。そのため、当該熱伸びにより窓が変形して防火機能が劣化することを抑えることが可能となる。
【０００９】
かかる窓であって、
前記窓構成部材は、前記切り欠き部が設けられた第一部分及び前記切り欠き部が設けられていない第二部分を備え、
前記第二部分の前記長手方向における第二端面に当接する当接部材を有し、
前記第一部分の前記長手方向における第一端面は、前記当接部材から離間した位置に位置し、
前記折り返し部は、前記第一端面と前記当接部材との間に位置し、かつ、前記当接部材と接触し、
前記折り返し部には、該折り返し部を前記当接部材に締結部材で締結するための締結部が設けられていることが望ましい。
【００１０】
このような窓によれば、窓構成部材だけでなく当接部材の熱伸びも抑制することが可能となる。そのため、当該熱伸びにより窓が変形して防火機能が劣化することをより適切に抑えることが可能となる。
【００１１】
かかる窓であって、
前記窓構成部材は、前記切り欠き部が設けられた第一部分及び前記切り欠き部が設けられていない第二部分を備え、
前記第二部分の前記長手方向における第二端面に当接する当接部材を有し、
前記第一部分の前記長手方向における第一端面は、前記当接部材から離間した位置に位置し、
前記折り返し部は、前記第一端面と前記当接部材との間に位置し、かつ、前記当接部材と接触していないことが望ましい。
【００１２】
このような窓によれば、補強部材自体の僅かな熱伸びにより補強部材が当接部材を押すことに起因する窓の変形も抑制することができ、防火機能の劣化をより適切に抑えることが可能となる。
【発明の効果】
【００１３】
本発明によれば、火災が発生した際に窓構成部材の熱伸びを抑制することにより窓の変形による防火機能の劣化を抑えることができる。
【図面の簡単な説明】
【００１４】
【図１】引き違い窓１０の正面図である。
【図２】上框６０の端部とその周辺の構成を示した正面図である。
【図３】上框６０の端部とその周辺の構成を示した斜視図である。
【図４】上框６０の構成を示した図である。
【図５】補強部材７０の構成を示した図である。
【図６】框体５０が火災時に熱伸びした際に図１の（正常な）引き違い窓１０が変形した様子を示したイメージ図である。
【図７】外障子４０ａ及び内障子４０ｂの召し合わせ框５８の横断面図であり、双方の召し合わせ框５８がそれぞれ移動して煙返し５８ａのオーバーラップ部分が減少する事象を説明するための説明図である。
【図８】第一変形例に係る上框６０の端部とその周辺の構成を示した斜視図である。
【図９】第一変形例に係る補強部材７０の構成を示した図である。
【図１０】第二変形例に係る上框６０の端部とその周辺の構成を示した斜視図である。
【図１１】第二変形例に係る上框６０の構成を示した図である。
【発明を実施するための形態】
【００１５】
＝＝＝本実施の形態に係る引き違い窓１０について＝＝＝
本実施の形態に係る窓の一例としての引き違い窓１０について、図１及び図２を用いて説明する。
【００１６】
なお、以下の説明においては、建物等に取り付けられた状態の引き違い窓１０を室内側から見たときに、上下となる方向を上下方向、左右となる方向を左右方向、室内外方向である奥行き方向を見込み方向として示す。引き違い窓１０の各部位であっても、また、引き違い窓１０を構成する各部材については単体の状態であっても、建物等に取り付けられた状態にて上下方向、左右方向、見込み方向となる方向にて方向を特定して説明する。
【００１７】
本実施形態に係る引き違い窓１０は、非鉄金属（アルミニウム合金）製の窓であり、枠体２０と、障子４０とを備えている。
【００１８】
枠体２０は、上枠３０と下枠３２と左右の縦枠３５とを備えている。上枠３０と下枠３２と左右の縦枠３５のいずれもが、非鉄金属（アルミニウム合金）製の押出成形部材である。そして、枠体２０は、これら４つの枠体が矩形状に枠組みされて、全体として開口を形成している。上枠３０と下枠３２は、左右方向に延びた長尺状の部材であり、縦枠３５は、上下方向に延びた長尺状の部材である。
【００１９】
障子４０は、枠体２０により形成された前記開口に収容される部材であり、外障子４０ａ及び内障子４０ｂを備える。障子４０は、枠体２０に対してスライド可能に設けられる。なお、障子４０の室内側には、外障子４０ａ及び内障子４０ｂを拘束するためのクレセント錠４４が備えられている。
【００２０】
障子４０は、框体５０と複層ガラス４２とを有している。
【００２１】
框体５０は、上框６０（窓構成部材に相当）と、下框５４と、左右の縦框（すなわち、戸先框５６と召し合わせ框５８）と、を備えている。上框６０と下框５４と左右の縦框のいずれもが、非鉄金属（アルミニウム合金）製の押出成形部材である。そして、框体５０は、これら４つの框体が矩形状に枠組みされて、全体として開口を形成している。そして、この開口に、複層ガラス４２が取り付けられている。上框６０と下框５４は、左右方向に延びた長尺状の部材であり、戸先框５６と召し合わせ框５８は、上下方向に延びた長尺状の部材である。なお、本実施の形態においては、上下方向に延びて配置される戸先框５６と召し合わせ框５８の上端部間に上框６０が架設され、下端部間に下框５４が架設されている（図２参照）。
【００２２】
＜＜＜上框６０とその周辺の構成について＞＞＞
次に、本実施の形態に係る上框６０（特に、上框６０の長手方向（左右方向）における端部）とその周辺の構成について、図２乃至図５を用いて説明する。なお、図３は、図２に表されている召し合わせ框５８を取り去って、上框６０の小口を見たときの図である。また、図４及び図５は、それぞれ、図３に表された上框６０及び補強部材７０の全体を別個に表した図である。図４及び図５の右上図は、上框６０又は補強部材７０を室外側から見たときの図であり、図４及び図５の右下図は、上框６０又は補強部材７０を下方から見たときの図である。
【００２３】
上框６０は、係合溝部６４と、ガラス収容部６６と、中空部６８とを備えている。図４に示すように、係合溝部６４、ガラス収容部６６、中空部６８のいずれも、左右方向に延びた長尺状の部分となっている。
【００２４】
係合溝部６４は、上枠３０に備えられた上レール（不図示）と係合する部分である。上レールは、上枠３０から下方向へ向かって突出するように上枠３０に設けられている。
【００２５】
係合溝部６４は、図３及び図４に示すように、縦断面においてコ字状を備え、互いに対向する２つの溝側面（室内側溝側面６４ａ及び室外側溝側面６４ｂと呼ぶ）と、溝底面６４ｃと、を有している。室内側溝側面６４ａは、上框６０の表面壁６０ａにより形成され、室外側溝側面６４ｂは、上框６０の裏面壁６０ｂにより形成され、溝底面６４ｃは、表面壁６０ａと裏面壁６０ｂを連結する第一連結壁６０ｃにより形成されている。
【００２６】
ガラス収容部６６は、複層ガラス４２の上端部を収容する部分である。
【００２７】
ガラス収容部６６は、図３及び図４に示すように、縦断面においてコ字状を備え、互いに対向する２つの収容部側面（室内側収容部側面６６ａ及び室外側収容部側面６６ｂと呼ぶ）と、収容部底面６６ｃと、を有している。室内側収容部側面６６ａは、表面壁６０ａにより形成され、室外側収容部側面６６ｂは、裏面壁６０ｂにより形成され、収容部底面６６ｃは、表面壁６０ａ、及び、表面壁６０ａと裏面壁６０ｂを連結する第二連結壁６０ｄにより形成されている。
【００２８】
中空部６８は、図３及び図４に示すように、上下方向において係合溝部６４及びガラス収容部６６のそれぞれと隣接し、上下方向において係合溝部６４とガラス収容部６６の間に設けられている。
【００２９】
中空部６８は、図３及び図４に示すように、縦断面において矩形状を備え、互いに対向する２つの中空部側面（室内側中空部側面６８ａ及び室外側中空部側面６８ｂと呼ぶ）と、互いに対向する２つの中空部底面（中空部上底面６８ｃ及び中空部下底面６８ｄと呼ぶ）と、を有している。室内側中空部側面６８ａは、表面壁６０ａにより形成され、室外側中空部側面６８ｂは、裏面壁６０ｂにより形成され、中空部上底面６８ｃは、第一連結壁６０ｃにより形成され、中空部下底面６８ｄは、第二連結壁６０ｄにより形成されている。
【００３０】
また、図３に示すように、上框６０の内部、すなわち、中空部６８内には、上框６０を補強するための補強部材７０が、中空部６８（上框６０）の長手方向に沿って（すなわち、補強部材７０の長手方向が上框６０の長手方向に沿うように）設けられている。この補強部材７０は、図５に示すように、金属（スチール、鉄）製の長尺状の部材であり、中空部６８（上框６０）の左右方向における一端部から他端部に亘って（中空部６８（上框６０）の長手方向に連続して）設けられている。
【００３１】
補強部材７０は、図３及び図５に示すように、縦断面においてコ字状を備え、縦断面において上下方向に沿った二つの部分（第一補強部７１及び第二補強部７２と呼ぶ）と、縦断面において見込み方向に沿った部分（第三補強部７３と呼ぶ）と、を有している。すなわち、第一補強部７１乃至第三補強部７３は、それぞれ室内側中空部側面６８ａ、室外側中空部側面６８ｂ、中空部下底面６８ｄに沿うように設けられている。
【００３２】
ところで、補強部材７０は、上框６０を補強する役割を果たすが、上框６０の熱伸びを抑える機能も有している。火災が生じた際に、窓構成部材に熱伸びが発生し、当該熱伸びにより引き違い窓１０が変形する。そして、当該変形により火炎の通り道となる隙間等が生じ防火機能が劣化する問題がある。
【００３３】
このような問題、すなわち、窓構成部材の熱伸びによる窓の変形に起因した防火機能の劣化について、一例（框体５０が熱伸びする例）を挙げて、図１、図６、及び、図７を参照しつつ説明する。なお、図６は、イメージ図であるため、図６においては、変形を誇張して描いている。
【００３４】
框体５０が火災時に火炎により熱せられると、図１において框体５０（上框６０、下框５４、戸先框５６、召し合わせ框５８）に施した矢印の方向に框体５０（上框６０、下框５４、戸先框５６、召し合わせ框５８）が伸びようとする。しかしながら、框体５０の外側には枠体２０が位置しているため、框体５０の枠体２０へ向かう方向への変形は僅かとなる。また、外障子４０ａ及び内障子４０ｂを拘束するためのクレセント錠４４は召し合わせ框５８の上下方向における中央に位置しているため、当該中央における召し合わせ框５８の変形も僅かとなる。そのため、框体５０の熱伸びによる変形は、図６に示すように、召し合わせ框５８の上端部と下端部で顕著となる。つまり、上框６０や下框５４が戸先框５６側でなく召し合わせ框５８側へ熱伸びし、召し合わせ框５８がクレセント錠４４を中心に湾曲するように熱伸びすることとなり、召し合わせ框５８の上端部と下端部が戸先框５６から離間する方向へ移動する。
【００３５】
つまり、召し合わせ框５８の上端部と下端部において、外障子４０ａの召し合わせ框５８が図７に示す矢印Ａ１の方へ移動し、内障子４０ｂの召し合わせ框５８が図７に示す矢印Ａ２の方へ移動する。すると、各々の召し合わせ框５８に設けられた煙返し５８ａのオーバーラップ部分が減少し（又は、オーバーラップ部分が無くなり）、煙返し５８ａを火炎が通過しやすくなる（オーバーラップ部分が無くなった場合には、火炎の通り道となる隙間が発生する）。したがって、引き違い窓１０の防火機能が劣化することとなる。
【００３６】
以上の例示からも理解できるように、一般的に、窓構成部材の熱伸びを抑制できれば、窓の変形が少なくなり、当該変形に起因した防火機能の劣化を抑えることができる。
【００３７】
そこで、前述したとおり、本実施の形態においては、補強部材７０に上框６０の熱伸びを抑える機能を持たせている。火は上昇するので上框６０が効果的ではあるが、下框５４にも補強部材７０を設けることによりより一層熱伸びを抑えられる。以下、当該機能について説明する。
【００３８】
補強部材７０は、複数箇所（本実施の形態においては、３箇所）で中空部６８に締結部材（本実施の形態においては、ネジであるが締結具としてリベット等でもよい）により締結されている（ネジ止めされている）。具体的には、中空部６８の中空部下底面６８ｄ（第二連結壁６０ｄ）に補強部材７０の第三補強部７３が接触した状態で（つまり、上框６０の上に補強部材７０が載置された状態で）、第三補強部７３が中空部下底面６８ｄ（第二連結壁６０ｄ）にネジ止めされている（図４及び図５に、それぞれ中空部６８のネジ穴６８ｅと補強部材７０のネジ穴７０ａが表されている）。
【００３９】
そして、このことにより、上框６０、具体的には、中空部下底面６８ｄ（第二連結壁６０ｄ）、の長手方向（左右方向）における熱伸びを抑制することができる。すなわち、スチールの補強部材７０は、アルミニウム合金の上框６０よりも、線膨張係数が小さいため、補強部材７０は上框６０よりも伸びにくい。そして、伸びにくい補強部材７０に接触する上框６０が補強部材７０よりも伸びようとしても双方の部材を貫通するネジがこれに抵抗することとなる。具体的には、ネジの軸部が上框６０のネジ穴７０ａに当接して抵抗し、ネジの頭部の裏面が当該裏面と接触する上框６０（第二連結壁６０ｄ）の面に当接して（摩擦力により）抵抗する。そして、このことにより、上框６０（第二連結壁６０ｄ）の長手方向（左右方向）における熱伸びを抑制することができる。
【００４０】
また、このような熱伸び抑制のためのネジ止めによる方策は従来から採られていたが、本実施の形態においては、かかる方策に加えて以下に説明する方策（従来は行われていなかった方策）を行うことにより、上框６０（第二連結壁６０ｄ）の長手方向（左右方向）における熱伸びをより一層抑制するようにしている。
【００４１】
すなわち、本実施の形態においては、図３乃至図５に示すように、補強部材７０の長手方向（左右方向）における端部（「端部」とは、端及び当該端の近傍を含む概念である）に折り返し部７４が設けられ、上框６０（第二連結壁６０ｄ）の長手方向（左右方向）における端部に切り欠き部６３（「切り欠き部」は、広義に解釈し、穴や孔等も含まれる概念である）が設けられ、当該折り返し部７４が当該切り欠き部６３に係合している。そして、このことにより、長手方向（左右方向）において折り返し部７４が上框６０を押さえることで、上框６０（第二連結壁６０ｄ）の長手方向（左右方向）における熱伸びを抑制することが可能となる。
【００４２】
具体的には、図５に示すように、折り返し部７４は、補強部材７０のうち第三補強部７３の長手方向（左右方向）における両端部が下方向へ折り返されることにより形成されている。
【００４３】
一方で、図４に示すように、上框６０のうち中空部下底面６８ｄ（第二連結壁６０ｄ）の長手方向（左右方向）における両端部には、下方向へ折り返された折り返し部７４が挿入されるように切り欠き部６３が形成されている。すなわち、中空部下底面６８ｄ（第二連結壁６０ｄ）の当該両端部のうちの折り返し部７４に対応する位置が切り欠かれている。
【００４４】
つまり、上框６０は、切り欠き部６３が設けられた第一部分（すなわち、第二連結壁６０ｄ）と、切り欠き部６３が設けられていない第二部分（すなわち、表面壁６０ａ、裏面壁６０ｂ、第一連結壁６０ｃ）を備えており、図２及び図３に示すように、第二部分（表面壁６０ａ、裏面壁６０ｂ、第一連結壁６０ｃ）の長手方向における端面（第二端面６０ｆとする）は、当接部材の一例としての縦框（召し合わせ框５８又は戸先框５６）に当接している。その一方で、第一部分（第二連結壁６０ｄ）の長手方向における端面（第一端面６０ｅとする）は、図４に示すように、切り欠き部６３が設けられていることにより、縦框から離間した位置に位置している。
【００４５】
そして、切り欠き部６３（つまり、縦框と第一端面６０ｅとの間）に折り返し部７４が入り込み、折り返し部７４の内側面７４ａと第一端面６０ｅが接触するか遊嵌（つまり、折り返し部７４と切り欠き部６３の接触状態か、取付け時にはクリアランスを持った状態での係合）している。そして、当該接触により、折り返し部７４が上框６０の第二連結壁６０ｄを押さえて上框６０（第二連結壁６０ｄ）の長手方向（左右方向）における熱伸びを抑制するか、当該遊嵌により熱伸びが発生すると接触状態となり折り返し部７４が上框６０の第二連結壁６０ｄを押さえて上框６０（第二連結壁６０ｄ）の長手方向（左右方向）における熱伸びを抑制する。そのため、当該熱伸びにより引き違い窓１０が変形して防火機能が劣化することを抑えることが可能となる。
【００４６】
なお、本実施の形態においては、第二端面６０ｆと折り返し部７４の外側面７４ｂとが略面一になるように、切り欠き部６３の大きさが設定されており、当該外側面７４ｂも第二端面６０ｆと同様、縦框に当接している。
【００４７】
また、本実施の形態においては、補強部材７０の両端部に折り返し部７４が設けられていることとしたが、片方の端部のみに設けられていることとしてもよい。
【００４８】
本実施の形態のように両端部に設けられている場合には、両端部の折り返し部７４で上框６０を挟み込むこととなるため、上框６０に補強部材７０が嵌合した状態となる。そのため、接触する内側面７４ａと第一端面６０ｅがより密着し、熱伸びをより一層抑制することができる点で、優位性を有する。また、クリアランスを持った状態で遊嵌してもよい。
【００４９】
一方で、片方の端部のみに設けられている場合には、折り返し部７４を形成するための加工が簡便となる点で、優位を有する。なお、片方の端部のみに折り返し部７４を設ける際には、上框６０が前述したとおり戸先框５６側でなく召し合わせ框５８側へ熱伸びし易い点を考慮すると、戸先框５６側でなく召し合わせ框５８側の端部のみに設けるのが望ましい。
【００５０】
＜＜＜折り返し部７４の変形例について＞＞＞
次に、折り返し部７４の第一変形例及び第二変形例について、図８乃至図１１を用いて説明する。
【００５１】
＜第一変形例＞
第一変形例においては、上記実施形態と同様、上框６０が、切り欠き部６３が設けられた第一部分（すなわち、第二連結壁６０ｄ）と、切り欠き部６３が設けられていない第二部分（すなわち、表面壁６０ａ、裏面壁６０ｂ、第一連結壁６０ｃ）を備え、第二部分（表面壁６０ａ、裏面壁６０ｂ、第一連結壁６０ｃ）の第二端面６０ｆが縦框（召し合わせ框５８又は戸先框５６）に当接し、第一部分（第二連結壁６０ｄ）の第一端面６０ｅは、切り欠き部６３が設けられていることにより縦框から離間した位置に位置している。そして、切り欠き部６３（つまり、縦框と第一端面６０ｅとの間）に折り返し部７４が入り込み、折り返し部７４の内側面７４ａと第一端面６０ｅが接触するか遊嵌（つまり、折り返し部７４と切り欠き部６３の接触状態か、取付け時にはクリアランスを持った状態での係合）している。
【００５２】
しかしながら、第一変形例は、上記実施形態とは異なり、図８及び図９に示すように、折り返し部７４には、折り返し部７４を縦框に締結部材（本実施の形態においては、ネジであるが締結具としてリベット等でもよい）で締結するための締結部（本実施の形態においては、ネジ穴７４ｃ）が設けられている。すなわち、第一変形例に係る折り返し部７４は、上記実施形態よりも、下方向へ折り返された折り返し部７４の延出長さがネジ穴７４ｃ形成のために長くなっている。そして、矩形状の折り返し部７４の中央にネジ穴７４ｃが設けられ、当該折り返し部７４は、縦框と接触した状態で、当該縦框にネジ止めされている。
【００５３】
そのため、補強部材７０は、上框６０だけでなく縦框にもネジ止めされることとなる。したがって、第一変形例によれば、前述した熱伸び抑制のためのネジ止めによる方策が縦框にも適用されることとなり、上框６０だけでなく縦框の熱伸びも抑制することが可能となる。そのため、当該熱伸びにより引き違い窓１０が変形して防火機能が劣化することをより適切に抑えることが可能となる。
【００５４】
＜第二変形例＞
第二変形例においては、上記実施形態及び第一変形例と同様、上框６０が、切り欠き部６３が設けられた第一部分（すなわち、第二連結壁６０ｄ）と、切り欠き部６３が設けられていない第二部分（すなわち、表面壁６０ａ、裏面壁６０ｂ、第一連結壁６０ｃ）を備え、第二部分（表面壁６０ａ、裏面壁６０ｂ、第一連結壁６０ｃ）の第二端面６０ｆが縦框（召し合わせ框５８又は戸先框５６）に当接し、第一部分（第二連結壁６０ｄ）の第一端面６０ｅは、切り欠き部６３が設けられていることにより縦框から離間した位置に位置している。そして、切り欠き部６３（つまり、縦框と第一端面６０ｅとの間）に折り返し部７４が入り込み、折り返し部７４の内側面７４ａと第一端面６０ｅが接触するか遊嵌（つまり、折り返し部７４と切り欠き部６３の接触状態か、取付け時にはクリアランスを持った状態での係合）している。
【００５５】
しかしながら、第二変形例は、上記実施形態及び第一変形例とは異なり、折り返し部７４（すなわち、外側面７４ｂ）が、縦框と接触していない。つまり、第一変形例に係る折り返し部７４は、図１０に示すように、上記実施形態及び第一変形例よりも、前記長手方向（左右方向）において内側（奥側）に位置し、かかる構成を実現するために、図１１に示すように、切り欠き部６３の前記長手方向（左右方向）における長さが長くなっている。
【００５６】
すなわち、図１０に示すように、折り返し部７４の外側面７４ｂは、縦框に当接する第二端面６０ｆと面一になっておらず、したがって、当該外側面７４ｂと縦框との間には隙間が設けられている。
【００５７】
そのため、第二変形例によれば、補強部材７０自体の僅かな熱伸びにより補強部材７０が縦框を押すことに起因する引き違い窓１０の変形も抑制することができ、防火機能の劣化をより適切に抑えることが可能となる。
【００５８】
＝＝＝その他の実施形態＝＝＝
上記の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【００５９】
上記実施の形態においては、窓として、引き違い窓１０を例に挙げて説明したが、これに限定されるものではなく、中桟、無目、方立等を含む枠材、框材の長手方向に延びる窓構成部材及び補強材を有する窓であればどのようなものでも構わない。
【００６０】
また、上記実施の形態においては、切り欠き部が設けられた第一部分が第二連結壁６０ｄあり、切り欠き部が設けられていない第二部分が表面壁６０ａ、裏面壁６０ｂ、第一連結壁６０ｃであることとした。つまり、切り欠き部６３は、第二連結壁６０ｄに設けることとしたが、これに限定されるものではなく、表面壁６０ａ、裏面壁６０ｂ、第一連結壁６０ｃに設けることとしてもよい。
【００６１】
また、上記実施の形態においては、前記第二部分の前記長手方向における第二端面６０ｆに当接する当接部材（縦框）を有することとしたが、これに限定されるものではなく、当該当接部材を有さないこととしてもよい。例えば、上記実施の形態は、戸先框５６と召し合わせ框５８の上端部間に上框６０が架設され、下端部間に下框５４が架設されている形態であったが、窓の形態としては、上框６０と下框５４の左端部間に召し合わせ框５８が架設され、右端部間に戸先框５６が架設されている形態も考えられ、かかる形態の場合には、第二端面６０ｆと縦框は当接しない。そして、このような形態であっても、本発明の範疇である。
【００６２】
また、上記実施の形態においては、窓構成部材として上框６０を例に挙げて説明したが、これに限定されるものではなく、例えば、下框５４、縦框であっても構わない。さらには、窓構成部材は、框体５０ではなく、枠体２０であっても構わない。
【符号の説明】
【００６３】
１０  引き違い窓、５０  框体、
５４  下框、５６  戸先框、５８  召し合わせ框、
６０  上框、６０ａ  表面壁、６０ｂ  裏面壁、
６０ｃ  第一連結壁、６０ｄ  第二連結壁、
６０ｅ  第一端面、６０ｆ  第二端面、
６３  切り欠き部、
６８  中空部、６８ｄ  中空部下底面、
７０  補強部材、７４  折り返し部、
７４ａ  内側面、７４ｂ  外側面、７４ｃ  ネジ穴、
【図１】
0006510442.tif 000002
【図２】
0006510442.tif 000003
【図３】
0006510442.tif 000004
【図４】
0006510442.tif 000005
【図５】
0006510442.tif 000006
【図６】
0006510442.tif 000007
【図７】
0006510442.tif 000008
【図８】
0006510442.tif 000009
【図９】
0006510442.tif 000010
【図１０】
0006510442.tif 000011
【図１１】
0006510442.tif 000012